(57)【特許請求の範囲】
【請求項１】
下面に一対の膨出片部を備え、取付杆にスライド可能に連結した樋支持具本体と、幅は上記一対の膨出片部の間に嵌り込む長さに形成し、長さは樋支持具本体の幅以上に形成した回転ロックレバーとを備え、これらを上下に貫通する連結軸で連結した構造とし、上記回転ロックレバーを回転操作することによって、該回転ロックレバーの基板が上記膨出片部を持ち上げて上記樋支持具本体を取付杆に圧接固定させるようにした回転ロック式の雨樋支持具であって、
上記樋支持具本体の上面には、長手方向に連続する凹凸部を形成すると共に、矩形状に形成され、中央に上記連結軸が貫通する軸孔が開設されたストッパー板を、上記取付杆と樋支持具本体との間に介在して設けてあり、
上記ストッパー板は、前後端を折り曲げ形成した係止片部を有し、該係止片部で上記樋支持具本体の凹凸部に係止する構成としたことを特徴とする回転ロック式の雨樋支持具。
【請求項２】
下面に一対の膨出片部を備え、取付杆にスライド可能に連結した樋支持具本体と、幅は上記一対の膨出片部の間に嵌り込む長さに形成し、長さは樋支持具本体の幅以上に形成した回転ロックレバーとを備え、これらを上下に貫通する連結軸で連結した構造とし、上記回転ロックレバーを回転操作することによって、該回転ロックレバーの基板が上記膨出片部を持ち上げて上記樋支持具本体を取付杆に圧接固定させるようにした回転ロック式の雨樋支持具であって、
上記樋支持具本体に形成した長孔の側壁には、長手方向に連続する凹凸部を形成すると共に、矩形状に形成され、中央に上記連結軸が貫通する軸孔が開設されたストッパー板を、上記取付杆と樋支持具本体との間に介在して設けてあり、
上記ストッパー板は、上記樋支持具本体の凹凸部の凹部に嵌合する係止片部を備えたことを特徴とする回転ロック式の雨樋支持具。
【請求項３】
請求項１又は２の何れかにおいて、
上記回転ロックレバーには、そのロック時に上記樋支持具本体との回転を抑止する突部を設けたことを特徴とする雨樋支持具。
【発明の詳細な説明】
【０００１】
【発明の属する技術分野】
本発明は、建造物等の軒先付近に取付けられる回転ロック式の雨樋支持具に関し、詳しくは、軒先等に固定される取付杆とスライド可能に連結した樋支持具本体を、水平方向に回転させる回転ロックレバーで所望の位置にロックすることのできる回転ロック式の雨樋支持具に関する。
【０００２】
【従来の技術】
図４は、従来の回転ロック式の雨樋支持具を示す分解斜視図である。
【０００３】
この回転ロック式の雨樋支持具１００は、軒先等に固定される取付片１０１ａを有し、且つ、先端側の下面には係止片部１０１ｂを設けた取付杆１０１と、長手方向に長孔１０２ａを有し且つ上面に複数の凹凸部１０２ｂを形成すると共に、両側下面に膨出部１０２ｃ、１０２ｃを形成した樋支持具本体１０２と、この樋支持具本体１０２を持ち上げ、これを取付杆１０１に圧接固定するための下方に開放したコ状の回転ロックレバー１０４とを備えている。
【０００４】
更に、これらの部材は、図示のようにカシメピン１０５とスプリングワッシャ１０６とワッシャ１０７によって連結している。
【０００５】
この回転ロック式の雨樋支持具１００は、樋支持具本体１０２の凹凸部１０２ｂに係止される係止片部１０１ｂを、取付杆１０１の下面に一体的に設けた構造に特徴がある。
【０００６】
すなわち、この回転ロック式の雨樋支持具１００は、回転ロックレバー１０４が長手方向に向いた状態でアンロック状態とし、取付杆１０１に対して樋支持具本体１０２を長孔１０２ａの範囲で自由にスライド可能にしている。
【０００７】
この樋支持具本体１０２を所望の位置に決めた後、回転ロックレバー１０４を回転すると、この回転レバー１０４が幅方向に向き始める。
【０００８】
このとき、回転ロックレバー１０４の上面１１４は、樋支持具本体１０２の膨出部１０２ｃ、１０２ｃに乗り上げ、この膨出部１０２ｃの高さ分だけ樋支持具本体１０２全体を押し上げる。
【０００９】
そして、取付杆１０１の下面の係止片部１０１ｂが、樋支持具本体１０２の凹凸部１０２ｂの凹部に係入する。
【００１０】
そのため、樋支持具本体１０２を取付杆１０１に圧接すると共に、樋支持具本体１０２のスライドを固定したロック状態にできる。
【００１１】
その後、図で示すように、樋支持具本体１０２の樋・前掛止部１３２及び樋・後掛止部１４２に樋Ｔを掛止して取付けるのである。
【００１２】
【発明が解決しようとする課題】
ここで、取付杆１０１に設けた係止片部１０１ｂは、図４で示すように取付杆１０１を切り起こし、これと一体的に形成されている。
【００１３】
一方、取付杆１０１は、各種荷重に耐えるべく、厚みの有る金属板等で形成されている。
【００１４】
そのため、この取付杆１０１を切り起こして、係止片部１０１ｂを一体的に形成するには、その製造が難しいという問題があった。
【００１５】
本発明は、かかる課題を解決することを目的とするもので、係止片部を有するストッパー板を取付杆と別途形成して、簡易に製造できる回転ロック式の雨樋支持具を提供する。
【００１６】
【課題を解決するための手段】
上記目的を達成するため、
請求項１に係る回転ロック式の雨樋支持具は、下面に一対の膨出片部を備え、取付杆にスライド可能に連結した樋支持具本体と、幅は上記一対の膨出片部の間に嵌り込む長さに形成し、長さは樋支持具本体の幅以上に形成した回転ロックレバーとを備え、これらを上下に貫通する連結軸で連結した構造とし、上記回転ロックレバーを回転操作することによって、該回転ロックレバーの基板が上記膨出片部を持ち上げて上記樋支持具本体を取付杆に圧接固定させるようにした回転ロック式の雨樋支持具であって、上記樋支持具本体の上面には、長手方向に連続する凹凸部を形成すると共に、矩形状に形成され、中央に上記連結軸が貫通する軸孔が開設されたストッパー板を、上記取付杆と樋支持具本体との間に介在して設けてあり、上記ストッパー板は、前後端を折り曲げ形成した係止片部を有し、該係止片部で上記樋支持具本体の凹凸部に係止する構成としたことを特徴とする。
【００１７】
請求項１では、係止片部を形成したストッパー板を取付杆とは別途形成し、これを取付杆と樋支持具本体とに介在して設けることによって、上記樋支持具本体のスライドを規制すると共に、これを取付杆に圧接して固定できるうえ、上記係止片部をも容易に製造できる。
【００１８】
請求項２に係る回転ロック式の雨樋支持具は、下面に一対の膨出片部を備え、取付杆にスライド可能に連結した樋支持具本体と、幅は上記一対の膨出片部の間に嵌り込む長さに形成し、長さは樋支持具本体の幅以上に形成した回転ロックレバーとを備え、これらを上下に貫通する連結軸で連結した構造とし、上記回転ロックレバーを回転操作することによって、該回転ロックレバーの基板が上記膨出片部を持ち上げて上記樋支持具本体を取付杆に圧接固定させるようにした回転ロック式の雨樋支持具であって、上記樋支持具本体に形成した長孔の側壁には、長手方向に連続する凹凸部を形成すると共に、矩形状に形成され、中央に上記連結軸が貫通する軸孔が開設されたストッパー板を、上記取付杆と樋支持具本体との間に介在して設けてあり、上記ストッパー板は、上記樋支持具本体の凹凸部の凹部に嵌合する係止片部を備えたことを特徴とする。
【００１９】
請求項２では、樋支持具本体に形成した長孔の側壁には、長手方向に連続する凹凸部を形成すると共に、この凹凸部と係止可能な係止片部を形成したストッパー板を、取付杆とは別途形成し、このストッパー板を取付杆と樋支持具本体とに介在して設けることによって、樋支持具本体のスライドを確実に規制できると共に、係止片部をも容易に製造できる。
【００２０】
請求項３に係る回転ロック式の雨樋支持具は、請求項１又は２の何れかにおいて、上記回転ロックレバーには、そのロック時に上記樋支持具本体との回転を抑止する突部を設けたことを特徴とする。
【００２１】
請求項３では、回転ロックレバーに突部を設け、回転ロックレバーをロックした時には突部が樋支持具本体との回転を抑止するため、回転ロックレバーが誤って回転することを防止できる。
【００２２】
【発明の実施の形態】
以下、本発明に係る回転ロック式の雨樋支持具Ａを図面に基づき説明する。
【００２３】
図１は、本発明に係る回転ロック式の雨樋支持具の実施例を示す分解斜視図である。
【００２４】
図中１は取付杆、２はストッパー板、３は樋支持具本体、４は回転ロックレバー、５は連結軸を各々示しており、以下、各部材について詳説する。
【００２５】
取付杆１は、建造物の軒先等に固定される取付足板１１の上端中央から前方に向けて足杆１２を延設し、この足杆１２の前方には、段落ち形成した連結片部１３を形成している。
【００２６】
この連結片部１３には、連結軸５が貫通する軸孔１３ａを開設している。
【００２７】
ストッパー板２は、金属製の薄板を矩形状に形成し、中央には取付杆１の軸孔１３ａに重合する同様の軸孔２１を開設すると共に、その前、後端を下方に折り曲げて係止片部２２、２２を形成している。
【００２８】
この係止片部２２、２２は、後述する樋支持具本体３の凹凸部３４に係止可能であれば、本実施例で示すようなストッパー板２の全幅を折り曲げて形成するものに限定されず、例えば、ストッパー板２の一部を切り欠いて下方に折り曲げて形成しても良く、その形状には限定されない。
【００２９】
本発明によれば、係止片部２２、２２を形成したストッパー板２を、取付杆１とは別途形成しているので、取付杆１を厚みの有る金属板等で形成しても、これに関係無く係止片部２２、２２を容易に形成することができる。
【００３０】
樋支持具本体３は、金属製又は樹脂成形した長板状のスライド板本体３１の前後端に、図示のような樋Ｔを吊下げ支持するための樋・前掛止部３２及び樋・後掛止部３３を各々形成している。
【００３１】
この樋・前掛止部３２及び樋・後掛止部３３は、図例のものに限定されず、従来から使用される種々のタイプのものが採用できる。
【００３２】
また、スライド板本体３１の長手方向中央には、連結軸５が貫通する長孔３１ａを開設し、この長孔３１ａはストッパー板２の軸孔２１と重合している。
【００３３】
また、樋支持具本体３の上面には、長手方向に連続する凹凸部３４を形成している。
【００３４】
この凹凸部３４は、ストッパー板２の係止片部２２、２２に係止可能であれば良く、図示のような鋸刃状に形成したもの、或いは、溝を形成したものなどが考えられる。
【００３５】
この樋支持具本体３の幅方向の両側は、下方に折り曲げ形成して膨出片部３６、３６を各々形成している。
【００３６】
なお、樋支持具本体３は、本実施例で示したものに限定されず、例えば、合成樹脂などで形成してもよく、要するに、取付杆１とスライド自在に取付けられ、ストッパー２の係止片部２２、２２と係止可能な凹凸部３４を上面に形成した構造のものであれば採用できる。
【００３７】
このように、本発明によれば、ストッパー板２を、取付杆１と樋支持具本体３との間に介在して設けることで、樋支持具本体３のスライドをストッパー板２の係止片部２２、２２で規制できると共に、これを取付杆１に圧接して固定することができる。
【００３８】
回転ロックレバー４は、基板４１に連結軸５が貫通する軸孔４２を開設し、この軸孔４２を中心として水平方向に回転可能にしている。
【００３９】
この回転ロックレバー４の幅は、樋支持具本体３の下面に形成した一対の膨出片部３６、３６の間に嵌り込む長さに形成し、その長さは、樋支持具本体３の幅以上に形成している。
【００４０】
また、基板４１上面の長手方向の両端には、上方に向けて突部４３、４３を形成している。
【００４１】
すなわち、本実施例の回転ロックレバー４では、これを回転操作することによって、その基板４１が樋支持具本体３の膨出片部３６、３６によって、樋支持具本体３を持ち上げ、この樋支持具本体３を取付杆１に圧接固定している。
【００４２】
また、回転ロックレバー４をロックした時には、その突部４３、４３が膨出片部３６、３６を乗り越えているので、樋支持具本体２の両側から外被すると共に、樋支持具本体２の膨出片部３６、３６によって回転ロックレバー４の回転が抑止されている。
【００４３】
そのため、回転ロックレバー４が誤って回転することを防止できると共に、外被した突部４３、４３によってロックを外部から確認できる。
【００４４】
もっとも、回転ロックレバー４は、本実施例で示したものに限定されず、例えば、縱方向に回転操作するものであっても構わず、要するに、回転ロックレバー４を回転操作することによって樋支持具本体３が持ち上げられ、その上面の凹凸部３４とストッパー板２の係止片部２２、２２とが係止すると共に、樋支持具本体３を取付杆１に圧接して固定できる構造であれば採用できる。
【００４５】
連結軸５は、取付杆１の軸孔１３ａ、ストッパー板２の軸孔２１、樋支持具本体３の長孔３１ａ、回転ロックレバー４の軸孔４２を貫通する軸部５１を備えており、ここでは、リベットを例示しているが、一対のボルト、ナットを用いることも可能である。
【００４６】
この回転ロック式の雨樋支持具Ａは、図１で示すように連結軸５を、取付杆１の軸孔１３ａ、ストッパー板２の軸孔２１、樋支持具本体３の長孔３１ａ、回転ロックレバー４の軸孔４２に貫通し、この連結軸５の下端にバネワッシャ６、ワッシャ７を挿通したうえで、連結軸５の下端をカシメ止めて枢着しており、このような構造によって樋支持具本体３は、取付杆１に前後にスライド可能に連結できる。
【００４７】
なお、バネワッシャ６は、回転ロックレバー４の軸孔４２を貫通しない弾性部材の一例にすぎず、これに代えて、コイルバネなどを用いることも考えられる。
【００４８】
このような本発明に係る回転ロック式の雨樋支持具Ａによれば、係止片部２２、２２を形成したストッパー板２を取付杆１とは別途形成し、これを取付杆１と樋支持具本体３とに介在して設けることによって、樋支持具本体３のスライドを規制すると共に、これを取付杆１に圧接して固定できるうえ、係止片部２２、２２をも容易に製造できる。
【００４９】
図２（ａ）、（ｂ）は、本発明に係る回転ロック式の雨樋支持具の動作を示す概略説明図である。ここで、図２（ａ）は、アンロック状態の回転ロック式の雨樋支持具を示す縦断面図であり、図２（ｂ）は、ロック状態の回転ロック式の雨樋支持具を示す縦断面図である。
【００５０】
前述のように構成した回転ロック式の雨樋支持具Ａは、取付杆１を軒先等に固定した後、回転ロックレバー４を長手方向に向けたアンロック状態にする〔図２（ａ）参照〕。
【００５１】
このアンロック状態では、回転ロックレバー４は、樋支持具本体３の膨出片部３６、３６の間に位置付けられているので、取付杆１と樋支持具本体３との間は圧接して固定されておらず、この樋支持具本体３を前後へ自由にスライドすることができ、所望の位置に、この樋支持具本体３を位置付けできる。
【００５２】
このように樋支持具本体３を所望の位置に位置づけた後、回転ロックレバー４を左右何れかの方向に回転すると、回転ロックレバー４の基板４１が、樋支持具本体３の膨出片部３６、３６に当接する。
【００５３】
そして回転ロックレバー４を更に廻し込むと、その膨出片部３６、３６に乗り上げ、この膨出片部３６、３６の高さｌだけ回転ロックレバー４が樋支持具本体３を持ち上げる〔図２（ｂ）参照〕。
【００５４】
このとき、樋支持具本体３の上面に形成した凹凸部３４の凹部は、上位に在るストッパー板２の係止片部２２、２２に係止されると共に、取付杆１に圧接して固定され、これをロック状態にできる。
【００５５】
また、回転ロックレバー４の突部４３、４３は、樋支持具本体２から外被すると共に、これと係止するため、回転ロックレバー４のロック状態を確認でき、しかもそのロックを確実にできる。
【００５６】
一方、ロック状態を解除するには、回転ロックレバー４を長手方向に向けて回転すれば、膨出片部３６、３６に沿ってその高さ分だけ樋支持具本体３が落下する。
【００５７】
そのため、樋支持具本体３と取付杆１との圧接が解除されると共に、樋支持具本体３の凹凸部３４とストッパー板２の係止片部２２、２２との係止も解除され、樋支持具本体３をスライド可能にできる〔図２（ａ）参照〕。
【００５８】
図３は、本発明に係る回転ロック式の雨樋支持具の他の実施例を示す分解斜視図である。
【００５９】
なお、図１、２と共通する部位については、同一の符号を付して、その説明を省略している。
【００６０】
この回転ロック式の雨樋支持具Ａでは、樋支持具本体３の凹凸部３４を、長孔３１ａの側壁に連続して形成すると共に、この凹凸部３４に係止する係止片部２２、２２を備えたストッパー板２を、取付杆１と樋支持具本体３との間に介在して設けたことを特徴とする。
【００６１】
すなわち、この回転ロック式の雨樋支持具Ａは、図１、２と同様に、回転ロックレバー４をロック位置に回転したときには、樋支持具本体３を取付杆１に圧接して固定させると共に、ストッパー板２の係止片部２２、２２が、樋支持具本体３の凹凸部３４の凹部に嵌り込んで係止する構造にしている。
【００６２】
このような回転ロック式の雨樋支持具Ａによれば、ストッパー板２に形成した係止片部２２、２２が、樋支持具本体３の長孔３１ａの側壁に形成した凹凸部３４の凹部に嵌り込んで係止するので、樋支持具本体３のスライドを確実に規制できると共に、係止片部２２、２２をも容易に製造できる。
【発明の効果】
本発明によれば、次のような効果がある。
【００６３】
請求項１に係る回転ロック式の雨樋支持具によれば、係止片部を形成したストッパー板を取付杆とは別途形成し、これを取付杆と樋支持具本体とに介在して設けることによって、上記樋支持具本体のスライドを規制すると共に、これを取付杆に圧接して固定できるうえ、上記係止片部をも容易に製造できる。
【００６４】
請求項２に係る回転ロック式の雨樋支持具によれば、樋支持具本体に形成した長孔の側壁には、長手方向に連続する凹凸部を形成すると共に、この凹凸部と係止可能な係止片部を形成したストッパー板を、取付杆とは別途形成し、このストッパー板を取付杆と樋支持具本体とに介在して設けることによって、樋支持具本体のスライドを確実に規制できると共に、係止片部をも容易に製造できる。
【００６５】
請求項３に係る回転ロック式の雨樋支持具によれば、回転ロックレバーに突部を設け、回転ロックレバーをロックした時には突部が樋支持具本体との回転を抑止するため、回転ロックレバーが誤って回転することを防止できる。
【図面の簡単な説明】
【図１】本発明に係る回転ロック式の雨樋支持具の実施例を示す分解斜視図
【図２】（ａ）、（ｂ）は、本発明に係る回転ロック式の雨樋支持具の動作を示す概略説明図
【図３】本発明に係る回転ロック式の雨樋支持具の他の実施例を示す分解斜視図
【図４】従来の回転ロック式の雨樋支持具を示す分解斜視図
【符号の説明】
Ａ      回転ロック式の雨樋支持具
Ｔ      樋
１      取付杆
２      ストッパー板
２１    軸孔
２２    係止片部
３      樋支持具本体
３４    凹凸部
４      回転ロックレバー
４１      基板
４３    突部
５      連結軸
【図１】
0004557395.tif 000002
【図２】
0004557395.tif 000003
【図３】
0004557395.tif 000004
【図４】
0004557395.tif 000005